(57)【特許請求の範囲】
【請求項１】
ロール紙を給紙可能なロール紙給紙部と、外部からカット紙の手差しを行うための開閉可能な手差しトレイを有する手差し給紙部と、該ロール紙給紙部および手差し給紙部から延長される搬送路が合流する位置の手前側に設けられ、給紙される記録紙の繰り出しローラとは別に前記ロール紙給紙部からの搬送路を挟んで回転可能かつ接離可能な退避部材とを備えた給紙装置において、
前記退避部材は、前記手差しトレイの開閉動作に応じて、繰り出されたロール紙を狭持して繰り出す方向とこの方向と逆方向に戻す動力切り換え手段と連動可能に設けられ、
前記動力切り換え手段は、前記手差しトレイの開放に連動して軸方向に移動する回転軸およびこれに支持されている切り換えギヤを有し、
前記切り換えギヤは、前記手差しトレイの開閉動作に関係なく前記繰り出しローラに接続された繰り出しギヤとの噛み合いを維持する一方、該手差しトレイの開閉に連動して前記退避部材に接続された退避ギヤとの噛み合いを変化させる構成を備え、
前記退避ギヤとの噛み合いを変化させる構成として、前記手差しトレイに設けられて前記切り換えギヤを軸方向に変位させるカムと該カムに当接して切り換えギヤの軸方向に移動可能な伝達ギヤとが用いられ、
前記伝達ギヤは、前記手差しトレイの開閉に応じて前記カムにより軸方向に変位することで前記手差しトレイ側の歯部に噛み合い、手差しトレイの開閉動作を前記切り換えギヤに伝達して切り換えギヤにより前記退避ギヤを回転させることにより前記退避部材による繰り出されたロール紙先端の引き戻し動作および引き戻されたロール紙の再繰り出し動作との切り換えが行われることを特徴とする給紙装置。
【請求項２】
前記動力切り換え手段には、ロール紙給紙部からのロール紙が繰り出し位置にセットされているときに手差し給紙を実行する際、前記切り換えギヤは、前記ロール紙の繰り出しギヤとロール紙を引き戻すために用いられる退避ギヤの両方への動力伝達と、退避ギヤへの伝達を停止して駆動源により駆動される駆動ギヤから繰り出しギヤへの伝達を可能にする構成であることを特徴とする請求項１記載の給紙装置。
【請求項３】
前記退避ギヤを支持する軸には前記ロール紙搬送路に進退可能な退避ローラが設けられ、該退避ローラは、前記手差しトレイの開放動作に連動して前記ロール紙搬送路を挟んで対向するロール紙挟持ローラと接離する構成を備えていることを特徴とする請求項１または２に記載の給紙装置。
【請求項４】
前記退避ローラをロール紙挟持ローラに接離させる構成として、前記手差しガイド部材に設けられているセクタギヤと該セクタギヤに噛み合い、揺動時に前記ロール紙挟持ローラに対する進退ストロークを変化させる進退作動部材が用いられることを特徴とする請求項３に記載の給紙装置。
【請求項５】
請求項１乃至４のうちの一つに記載の給紙装置を用いる画像形成装置であって、
前記繰り出しローラは、画像形成部に対してロール給紙部から搬送されるロール紙あるいは手差し給紙部からカット紙の先端を送り出すローラが相当していることを特徴とする画像形成装置。
【請求項６】
前記画像形成部がインクジェットあるいは印刷による印字部に相当していることを特徴とする請求項５に記載の画像形成装置。
【請求項７】
前記画像形成部が電子写真方式による画像転写部に相当していることを特徴とする請求項５に記載の画像形成装置。
【発明の詳細な説明】
【技術分野】
【０００１】
本発明は、給紙装置および画像形成装置に関し、さらに詳しくは、既設のロール紙給紙部とは別にカット紙の手差し給紙部とを備えた構成を対象とする給紙切り替え機構に関する。
【背景技術】
【０００２】
周知のように、複写機やプリンタあるいは印刷機などの画像形成装置においては、たとえば、電子写真方式を用いる画像形成装置の場合、潜像担持体である感光体上に形成された静電潜像が現像装置から供給される現像剤によって可視像処理される。可視像処理された画像は、記録紙などに転写され、定着されることで複写出力とされる。
また、他の方式を用いる画像形成装置の一つにインクジェットプリンタがある。インクジェットプリンタでは、画像情報に応じてインクの液滴を吐出するインク吐出ヘッドを備え、吐出ヘッドに対向して配置されているプラテン部に給紙部からの記録紙が順次繰り出されるとその繰り出しに合わせてインク吐出ヘッドによる主走査方向に沿ったインク液滴の吐出により印字が行われて画像が形成される。
【０００３】
上述したいずれの方式を用いる画像形成装置においても、記録紙を繰り出すことが行われ、そのための構成として、記録紙を収容している給紙部が内蔵されている。給紙部からは、所定手順に従って記録紙が転写位置あるいは印字位置に繰り出される構成がよく知られている。
ところで、記録紙には、Ａ４版やＢ５版などの所定サイズに裁断されたカット紙の他に、繰り出される方向で裁断されて所定サイズとされるロール紙がある。
ロール紙を画像形成装置内に設けて既設の給紙部とする構成は既に知られている。
【０００４】
一方、画像形成装置においては、上述した既設の給紙部からの給紙とは別に、例えば、異なるサイズのカット紙を給紙したい場合もある。このため、従来の画像形成装置には、既設の給紙部にロール紙を収容している場合、カット紙を外部から給紙できるように手差し給紙部を備えた構成が提案されている（例えば、特許文献１）。
【０００５】
ところで、手差し給紙部からの給紙に際しては既設の給紙部からの記録紙が画像形成位置あるいは画像転写位置の手前に位置していると、手差し給紙部からの記録紙の進行が阻まれてしまう虞がある。また、既設の給紙部から繰り出された記録紙先端が、例えば画像形成位置あるいは画像転写位置の手前に設けられているレジスト部に残ったままであると、手差し給紙部からの記録紙のレジストタイミングが設定できない。
【０００６】
そこで、従来では、既設の給紙部およびこれ以外の手差し給紙部を備えた給紙機構において、選択された給紙部からの記録紙搬送路のみを開放して記録紙の通過を許容し、選択されていない給紙部からの記録紙が画像形成位置あるいは画像転写位置に向け繰り出されないようにした構成が提案されている（例えば、特許文献２）。
上記特許文献２には、既設の給紙部からの搬送路と手差し給紙部からの搬送路とが合流する位置に各搬送路に対して開閉する方向に揺動可能な手差し搬送ガイド部材を設け、この手差し搬送ガイド部材の各搬送路に対する揺動態位設定を、起倒可能に設けられている手差しトレイが手差し給紙位置に位置決めされるのに応じて設定する構成が開示されている。
また、特許文献２においては、手差しトレイの起倒位置を検知して手差し搬送ガイド部材の揺動駆動部材であるソレノイドを制御するようになっている。
【０００７】
ロール紙を用いる画像形成装置には、大判サイズのロール紙を対象としたインクジェット記録装置やプロッタあるいは複写機などがあり、これらの装置では、上下にロール紙の給紙部を設けた構成を用いる場合がある（例えば、特許文献３）。
特許文献３には、ロール紙の搭載部近傍に設けられた送り出しローラによりロール紙先端が繰り出され、搬送過程でロータリーカッターにより所定長さに裁断されると、裁断されたカット紙がレジストローラに向けて搬送されるようになっている。送り出しローラは、ロール紙の送り出し方向およびこれとは逆方向に回転して巻き戻す機能を持ち、レジストローラに向け搬送された裁断後のロール紙先端を所定位置に保持するようになっている。
【発明の概要】
【発明が解決しようとする課題】
【０００８】
特許文献２に開示されている構成においては、記録紙がレジストタイミングを設定される以前の位置に相当する搬送路の選択が可能となる反面、搬送路切換のための構成として、手差しトレイの起倒位置を検知するための部材や手差し搬送ガイド部材の駆動装置などの特別な構成が必要となる。このため、構成の複雑化さらには装置そのもののコスト上昇を招く原因となる。
【０００９】
一方、既設の給紙部であるロール紙給紙部から繰り出されるロール紙は、その先端がレジストローラに挟持されて繰り出される場合がある。
このような構成においてカット紙を手差し給紙する場合には、記録紙の先端をレジストローラから引き抜いたうえで手差しトレイからカット紙をレジストローラに挟持させて繰り出しを行うという手順となる。
このため、手差し給紙が終了すると、再度、ロール紙の先端をレジストローラに挟持させるという操作が必要となり、ユーザーに対して面倒な作業を強いることになる。
【００１０】
さらに、ロール紙を送り出して裁断した後レジストローラに向け搬送させる構成においては、裁断後のロール紙の搬送部材とは別に正逆回転可能な送り出しローラ自体を対象とした駆動源が必要となり、送り出しローラおよびレジストローラよりも前に配置されている搬送ローラを含めた搬送部材の数が多くなる。これにより、駆動機構や搬送部材の部品点数などが増加して装置のコスト上昇を招く虞がある。
【００１１】
本発明の目的は、上記従来の給紙装置における問題に鑑み、特に、既設のロール紙給紙部とは別に手差しによるカット紙給紙部を装備した場合に、構造の複雑化を招くことなく既設給紙部および手差し給紙部のいずれかからの繰り出しおよび、繰り出し後に給紙部を切り換え設定された際の自動繰り出しが行えるようにしてユーザーへの作業負担の軽減およびコスト上昇を抑制することができる構成を備えた給紙装置および画像形成装置を提供することにある。
【課題を解決するための手段】
【００１２】
この目的を達成するため、本発明は次の構成よりなる。
（１）ロール紙を給紙可能なロール紙給紙部と、外部からカット紙の手差しを行うための開閉可能な手差しトレイを有する手差し給紙部と、該ロール紙給紙部および手差し給紙部から延長される搬送路が合流する位置の手前側に設けられ、給紙される記録紙の繰り出しローラとは別に前記ロール紙給紙部からの搬送路を挟んで回転可能かつ接離可能な退避部材とを備えた給紙装置において、前記退避部材は、前記手差しトレイの開閉動作に応じて、繰り出されたロール紙を狭持して繰り出す方向とこの方向と逆方向に戻す動力切り換え手段と連動可能に設けられ、前記動力切り換え手段は、前記手差しトレイの開放に連動して軸方向に移動する回転軸およびこれに支持されている切り換えギヤを有し、前記切り換えギヤは、前記手差しトレイの開閉動作に関係なく前記繰り出しローラに接続された繰り出しギヤとの噛み合いを維持する一方、該手差しトレイの開閉に連動して前記退避部材に接続された退避ギヤとの噛み合いを変化させる構成を備え、前記退避ギヤとの噛み合いを変化させる構成として、前記手差しトレイに設けられて前記切り換えギヤを軸方向に変位させるカムと該カムに当接して切り換えギヤの軸方向に移動可能な伝達ギヤとが用いられ、前記伝達ギヤは、前記手差しトレイの開閉に応じて前記カムにより軸方向に変位することで前記手差しトレイ側の歯部に噛み合い、手差しトレイの開閉動作を前記切り換えギヤに伝達して切り換えギヤにより前記退避ギヤを回転させることにより前記退避部材による繰り出されたロール紙先端の引き戻し動作および引き戻されたロール紙の再繰り出し動作との切り換えが行われることを特徴とする給紙装置。
【００１３】
（２）前記動力切り換え手段には、ロール紙給紙部からのロール紙が繰り出し位置にセットされているときに手差し給紙を実行する際、前記切り換えギヤは、前記ロール紙の繰り出しギヤとロール紙を引き戻すために用いられる退避ギヤの両方への動力伝達と、退避ギヤへの伝達を停止して駆動源により駆動される駆動ギヤから繰り出しギヤへの伝達を可能にする構成であることを特徴とする（１）記載の給紙装置。
【００１６】
（３）前記退避ギヤを支持する軸には前記ロール紙搬送路に進退可能な退避ローラが設けられ、該退避ローラは、前記手差しトレイの開放動作に連動して前記ロール紙搬送路を挟んで対向するロール紙挟持ローラと接離する構成を備えていることを特徴と（１）または（２）に記載の給紙装置。
【００１７】
（４）前記退避ローラをロール紙挟持ローラに接離させる構成として、前記手差しガイド部材に設けられているセクタギヤと該セクタギヤに噛み合い、揺動時に前記ロール紙挟持ローラに対する進退ストロークを変化させる進退作動部材が用いられることを特徴とする（３）に記載の給紙装置。
【００１８】
（５）（１）乃至（４）のうちの一つに記載の給紙装置を用いる画像形成装置であって、
前記繰り出しローラは、画像形成部に対してロール給紙部から搬送されるロール紙あるいは手差し給紙部からカット紙の先端を送り出すローラが相当していることを特徴とする画像形成装置。
【００１９】
（６）前記画像形成部がインクジェットあるいは印刷による印字部に相当していることを特徴とする（５）に記載の画像形成装置。
【００２０】
（７）前記画像形成部が電子写真方式による画像転写部に相当していることを特徴とする（５）に記載の画像形成装置。
【発明の効果】
【００２１】
本発明によれば、手差しガイド部材の開閉動作に応じて繰り出しローラおよび退避部材への駆動力伝達切り換えが行える構成を備えており、手差しガイド部材の開放時にはその開放過程で繰り出しローラを、ロール紙を引き戻す方向の回転態位とし、そして退避部材の当接およびロール紙先端の引き戻し方向への回転伝達が行われ、手差しガイド部材が閉じられる過程では、上述した開放時とは逆の動力伝達態位が設定され、駆動モータによるロール紙の繰り出し態位が行われる。
【００２２】
これにより、手差しガイド部材の開閉動作に連動関係を持たせた構成を備えるだけで、特別な動力切り換え機構を備える必要がないので、安価な装置が得られる。
【００２３】
また、オペレータは、手差しガイド部材の開閉操作のみで手差し給紙の際にロール紙先端が邪魔になるのを回避でき、手差し給紙後、再度、ロール紙用いた給紙を行う場合にロール紙先端を給紙態位に設定することができるので、繰り出し部材に挟持されている記録紙先端の引き戻しや再セットなどの操作が不要となり印字作業を簡略化することができる。
【図面の簡単な説明】
【００２４】
【図１】本発明による給紙装置を備えた画像形成装置の一例を示す外観図である。
【図２】図１に示した画像形成装置における給紙部の構成を示す斜視図である。
【図３】図１に示した画像形成装置の内部構成を説明するための模式図である。
【図４】図２に示した給紙部の要部構成を示す斜視図である。
【図５】図４に示した要部構成の詳細を説明するための斜視図である。
【図６】図５に示した手差しガイド部材の裏面側を示す図である。
【図７】図５に示した退避部材の接離機構を説明するための模式図である。
【図８】図５に示した要部構成の一態様を説明するための斜視図である。
【図９】図９に示したタイミングチャートに基づく給紙部の動作態様を説明するための図である。
【図１０】図１０に示した動作態様の一つを示す平面図である。
【図１１】図１０に示した動作態様の他の一つを示す平面図である。
【図１２】退避部材の変形例を示す図である。
【図１３】繰り出しローラの他の例を説明するための斜視図である。
【図１４】動力伝達手段および動力切り換え手段を用いる画像形成装置の別例を説明するための模式図である。
【発明を実施するための形態】
【００２５】
以下、図面により本発明を実施するための形態について説明する。
図１は、本発明による給紙装置を備えた画像形成装置の外観図であり、同図に示す画像形成装置１は、大判のロール紙を装置本体に搭載可能なインクジェットプリンタであるが、本発明では、これに限らず、ロール紙を内蔵可能な電子写真方式による複写機やプリンタあるいは印刷機も画像形成装置として含まれる。
図１においてインクジェットプリンタ（便宜上、符号１で示す）は、装置本体となる筐体１Ｃの上面にロール紙Ｓ１の搭載部１Ａが、そして正面には排紙口１Ｂが設けられている。
ロール紙Ｓ１の搭載部１Ａには、詳細を説明しないが、ロール紙Ｓ１の捲装支軸に相当するスプール軸ＳＡを嵌合できる凹部が設けられ、その近傍には、装置正面側から凹部に向けて高さが高くなる傾斜面で構成されたロール紙挿入ガイド部１Ａ１が設けられている。したがって、スプール軸ＳＡをロール紙挿入ガイド部１Ａ１に沿って転がしてロール紙の搭載部１Ａの凹部にセットすることで、ロール紙Ｓ１を装置正面から装着することが可能である。
ロール紙ガイド部１Ａ１の近傍には、手差し給紙部のカット紙挿入部１Ａ２が設けられている。
【００２６】
図２は、図１に示したインクジェットプリンタ１における筐体１Ｃに装備されている外装カバーを取り除いて示す図であり、図３は図１に示したインクジェットプリンタ１の内部を示す図である。
図２，３において、インクジェットプリンタ１の内部には、ロール紙Ｓ１の搭載部１Ａから繰り出されたロール紙Ｓ１を吸引してプラテン板２に吸着保持した状態でインクヘッドキャリッジ３による印字記録を行わせる吸引ダクト４が設けられている。なお、図２，３において符号３Ａは、インクヘッドキャリッジを主走査方向（図３における紙面を貫く方向）にガイドするキャリッジスライドガイドを示している。
【００２７】
図２，３に示すインクジェットプリンタ１では、吸引ダクト（チャンバー）４上のプラテン板２上に、ロール紙あるいはカット紙（以下、これらを総称して記録紙と表現する場合がある）記録紙が搬送される。吸引ダクト４の下部に配置されている吸引ファンにより吸引ダクト４内が負圧化され、吸引ダクト４の上面に形成されている複数の穴を介してロール紙Ｓ１が吸い付けられて記録紙の平面度が維持される。
プラテン板２の上方には、インクを吐出するためのヘッドを搭載したキャリッジ３が配置されており、キャリッジ３はスライドガイド３Ａに沿って記録紙の幅方向に往復し、インクをプラテン板２上の記録紙に向かって吐出することで記録紙に画像を形成する。
記録紙は、ヘッドの幅に対応してキャリッジ３が移動するたびにレジストローラ６より所定の長さ分送り出されて（間欠搬送）、画像形成がおわると、カッター５において、所定の長さに用紙をカットして搬送され、排紙口１Ｂより、装置外に排出される。
なお、ロール紙Ｓ１を使用した場合、カット後にプラテン板２上に残っているロール紙Ｓ１は、レジストローラにより引き戻され、前述したロール紙Ｓ１のスプールに装備されているバネなどの付勢部材によりたるみが取られて先端がレジストローラ６から所定量だけプラテン板２側に突出した状態の待機状態とされ、レジストローラ６にその先端部を挟持されて次の繰り出しに備えられる。ここで、裁断位置から繰り出しローラ６までの距離が判っているので、繰り出しローラ６の周速と時間とからロール紙Ｓ１の先端を引き戻す量が図示しない制御部にて算出される。
【００２８】
一方、図３においてロール紙Ｓ１の搭載部１Ａとプラテン板２との間には、給紙部Ｐ０が設けられている。
給紙部Ｐ０は、ロール紙Ｓ１を対象としてロール紙Ｓ１の搭載部１Ａからプラテン板２の前方（搬送方向上流側、以下同じ）までに構成されているロール紙搬送路Ｐ１と手差し給紙部Ｈからのカット紙を対象としてプラテン板２の前方までに構成される手差し搬送路Ｐ２とが設けられており、これら各搬送路Ｐ１，Ｐ２は、プラテン板２の前方で合流するようになっている。
【００２９】
各搬送路が合流した後の位置には、プラテン板２に記録紙が至る前に、各搬送路のいずれかから搬送されてくる記録紙を挟持搬送して繰り出すことができる繰り出し部材に相当するレジストローラ６が配置されている。
繰り出し部材として用いられるレジストローラ６は、プラテン板２の上面に向けて記録紙を繰り出すことのできる方向に回転できると共に、後述する給紙装置の動力切り換え手段により挟持している記録紙をプラテン板２側と反対側に引き戻すことができる方向にも回転できるようになっている。
【００３０】
一方、図２，３においてロール紙搬送路Ｐ１には、カット紙を手差し給紙する際にレジストローラ６からロール紙Ｓ１の先端を引き戻すと共に再度繰り出してロール紙Ｓ１を待機状態とするためのロールが用いられる退避部材７が配置されている。
退避部材（以下、退避ローラという）７は、ロール紙搬送路Ｐ１を挟んで一対のローラ７Ａ、７Ｂを対向させて構成されており、ローラ７Ａがロール紙搬送路Ｐ１に対して進退可能なローラ（以下、便宜上、進退可能なローラということもある）として用いられ、ローラ７Ｂがロール紙搬送路Ｐ１に対して進退しないで、後述する動力切り換え手段によりロール紙Ｓ１を引き戻す方向および繰り出し方向に回転できるローラ（以下、便宜上、定置側ローラということもある）として用いられる。
ローラ７Ａは、ロール紙搬送路Ｐ１に対して進退する際にローラ７Ｂに対して接離できるようになっており、当接した場合には、定置側ローラ７Ｂに従動できるようになっている。
【００３１】
手差し給紙部Ｈには、後述する動力切り換え手段を作動させることができるように開閉可能であって、手差し搬送路Ｐ２の一部を構成する手差しガイド部材８が設けられている。手差しガイド部材８は、対向する固定ガイド部材８Ａと対峙して手差し搬送路Ｐ２を構成しており、手差し給紙時には固定ガイド部材８Ａから離れる向きに開放されるようになっている。
なお、図３において二点鎖線で示す手差しガイド部材８は、開放されている状態を示している。
【００３２】
一方、図４は、本発明による給紙装置の要部構成に相当する動力伝達および切り換えのための機構を示す図であり、図５は、図４の要部を拡大した図である。
図４，５においてロール紙搬送路Ｐ１中にロール紙Ｓ１が存在している状態の時、換言すれば、ロール紙Ｓ１の先端がレジストローラ６に挟持されている状態で、手差し給紙が選択された場合、手差しガイド部材８が開放されると、後述する動力伝達手段および動力切り換え手段によってレジストローラ６からロール紙Ｓ１が搭載部１Ａ側に向けて引き戻される。これにより、手差し給紙部Ｈからカット紙をレジストローラ６に向けて挿入する際に、ロール紙Ｓ１の先端がレジストローラ６から離れて存在することがないので、手差し給紙の際にロール紙Ｓ１が邪魔になることを回避できるようになっている。
【００３３】
図５において動力伝達手段は、駆動モータ９の出力軸に設けられている駆動ギヤ９Ｇと、レジストローラ６および退避ローラ７のそれぞれに同軸支持されている繰り出しギヤ６Ｇと退避ギヤ７Ｇとで構成されている。つまり、繰り出しギヤ６Ｇは、繰り出しローラ側のギヤとして、また、退避ギヤ７Ｇは、退避部材に用いられる退避ローラ７側のギヤに相当している。
退避ギヤ７Ｇは、退避ローラ７の定置側ローラ７Ｂと同軸支持されている。
また動力切り換え手段は、筐体側に支持されて手差しガイド部材８の開閉方向と直角方向に軸を有する回転軸１０と、回転軸１０に支持されている切り換えギヤ１１と、回転軸１０に支持されて手差しガイド部材８の一部をなすセクタ部材８０１の一部に形成されたラック８０１Ａに噛み合うことができる伝達ギヤ１２とを備えている。
【００３４】
切り換えギヤ１１は、回転軸１０の軸方向での移動位置に応じて繰り出しギヤ６Ｇのみに噛み合う場合および繰り出しギヤ６Ｇと退避ギヤ７Ｇとの両方に噛み合う場合とを選択できる部材であり、手差しガイド部材８の開閉量に応じた回転量を繰り出しギヤ６Ｇあるいは退避ギヤ７Ｇに伝達する機能を備えている。
切り換えギヤ１１は、手差しガイド部材８の開閉に関係なく繰り出しギヤ６Ｇと噛み合うことができる歯幅を有しており、退避ギヤ７Ｇとの噛み合いが解除された場合には、駆動ギヤ９Ｇの回転が従動ギヤ１４および回転軸１０に伝達されるのを介して繰り出しギヤ６Ｇに回転伝達することができるようになっている。これにより、繰り出しギヤ６Ｇは、記録紙の繰り出しに必要な回転を得ることができる。
【００３５】
従って、切り換えギヤ１１が繰り出しギヤ６Ｇにのみ噛み合う場合には、ロール紙又はカット紙をプラテン上で送り出し、巻き戻しができる。
また、切り換えギヤ１１が繰り出しギヤ６Gおよび退避ギヤ７Gの両方に噛み合う場合には、レジストローラ６および退避ローラ７の両方を開閉ガイド部材８の開閉に応じて駆動し、両方のローラ６、７をロール紙Ｓ１の引き戻し方向に回転させることができるようになっているとともに、レジストローラ６から引き戻されて退避状態にあるロール紙Ｓ１の先端を再度レジストローラ６に向けて所定量だけ繰り出すことができる。この動作の詳細については後述する。
【００３６】
切り換えギヤ１１を回転軸１０の軸方向に移動させる構成として、手差しガイド部材８の一部をなすセクタ部材８０１に設けられたカム８０２（図６参照）と、回転軸１０に支持されると共にセクタ部材８０１に設けられているカム８０２の動きに連動可能な伝達ギヤ１２と、伝達ギヤ１２をカム８０２に向けて付勢する方向に回転軸を押圧するコイルバネなどの付勢部材１３とが用いられる。
回転軸１０には、付勢部材１３が挿嵌されている側の軸端近傍に回転軸１０の軸方向移動位置に応じて駆動ギヤ９Ｇとの噛み合いおよび噛み合い解除が可能な従動ギヤ１４が支持されている。
【００３７】
セクタ部材８０１の一部にはラック８０１Ａが設けられており、ラック８０１Ａは、回転軸１０の軸方向移動により伝達ギヤ１２が対峙した際に噛み合うことができ、手差しガイド部材８の開閉量を伝達ギヤ１２に伝えて回転軸１０の回転量を設定できる部材として用いられる。なお、セクタ部材８０１は、回転軸１０の軸方向両側に対応する手差しガイド部材８の幅方向両側に設けられており、動力伝達手段および動力切り換え手段は、回転軸１０の軸方向手前側にのみ設けられている。
【００３８】
セクタ部材８０１に設けられているカム８０２は、図６に示すように、手差しガイド部材８が開閉される際に伝達ギヤ１２に設けられているカムフォロワー部１２Ａを押し動かして回転軸１０を軸方向に移動させるカムプロフィールを有している。
本実施例におけるカムプロフィールとして、図６（Ａ）に示す状態が相当している、手差しガイド部材８の全閉時および全開時には、前述した切り換えギヤ１１を繰り出しギヤ６Ｇにのみ噛み合うことができる位置に変位させ、また、図６（Ｂ）に示す状態が相当している、全閉から全開に至る間および全開から全閉に至る間には、手差しガイド部材８が動き出すのとほぼ同時に切り換えギヤ１１を繰り出しギヤ６Ｇと退避ギヤ７Ｇとの両方に噛み合わせることができる位置に変位させる形態が設定されている。
【００３９】
このようなカムプロフィールを利用して、切り換えギヤ１１の噛み合い相手を設定できることにより、レジストローラ６および退避ローラ７によるロール紙先端の引き戻し動作と引き戻し後の再繰り出し動作とが行える。なお、図６において符号ＰＳは、伝達ギヤ１２とラック８０１Ａとの噛み合いが解除されている位置を示し、符号ＰＥは、伝達ギヤ１２とラック８０１Ａとが噛み合い、手差しガイド部材８の回動量を回転軸に伝達できる位置を示している。
【００４０】
本実施例では、手差しガイド部材８の動き出す位置から停止するまでの間の回動量が動力切り換え手段の切り換えギヤ１１を介した退避ローラ７の引き戻し量に対応させてあり、引き戻し量としては、後で説明するが、退避ローラ７のローラ７Ａ、７Ｂが互いに当接してロール紙先端をレジストローラ６から離して手差し給紙部からのカット紙がレジストローラ６に進入するのを阻ないようにできる量に設定されている。
【００４１】
一方、手差しガイド部材８には、全閉時から全開時に至るまでの間、および全開時から全閉時に至るまでの間、退避ローラ７に用いられる進退可能なローラ７Ａを定置側ローラ７Ｂに対して接離させるための構成が設けられている。このような接離動作は、ロール紙Ｓ１の引き戻しおよび引き戻し後の再繰り出しに際してロール紙Ｓ１を挟持するための機能である。
【００４２】
図７は、この構成を説明するための要部を示す模式図である。なお、以下に説明する突起８０３は、幅方向中央を含む場合には、中央部のみあるいは中央部を含む奇数箇所に設けられ、幅方向中央を基準として振り分ける場合には、偶数箇所に設けることができるものであり、図７では、幅方向端部近傍に位置している突起８０３のみを対象として示されていることを前置きしておく。
図７（Ａ）において、セクタ部材８０１の裏側、つまり、進退可能なローラ７Ａに対向する面には、手差しガイド部材８の開閉方向に平行する長手方向を有した突起８０３が、軸方向に沿って、進退可能なローラ７Ａの設置数に合わせて設けられている。
【００４３】
突起８０３の長手方向の長さは、図７（Ｂ）に示すように、手差しガイド部材８の全閉時および全開時には進退可能なローラ７Ａを定置側ローラ７Ｂから離し、全閉から全開に至る間、および全開から全閉に至る間には、図７（Ｃ）に示すように、進退可能なローラ７Ａを、これらの期間が始まるのと殆ど同時に定置側ローラ７Ｂに当接させることができる長さに設定されている。
進退可能なローラ７Ａは、板バネなどを成形した片持ち梁状の支持部材７Ａ１によって回転自在に支持されており、揺動端側が突起８０３に対向している。
【００４４】
このような構成において、図７（Ｂ）に示すように、手差しガイド部材８の全閉時には、進退可能なローラ７Ａが突起８０３と対峙しないことにより定置側ローラ７Ｂから進退可能なローラ７Ａが離れており、図７（Ｃ）に示すように、手差しガイド部材８が全開あるいは全閉から全開あるいは全閉に至る間は、手差しガイド部材８が動き出すとほぼ同時に進退可能なローラ７Ａが突起８０３により定置側ローラ７Ｂに向けて押圧されることにより進退可能なローラ７Ａが定置側ローラ７Ｂに当接する。
【００４５】
図８は、図６（Ｂ）に示したように、セクタ部材８０１のカム８０２により伝達ギヤ１２が押し動かされて回転軸１０が軸方向に移動している状態を示している。この状態では、セクタ部材８０１のラック８０１Ａが伝達ギヤ１２に噛み合っており、この噛み合いにより手差しガイド部材８の回動が回転軸１０に伝えられる。
ラック８０１Ａと伝達ギヤ１２とは、手差しガイド部材８が動かされ始めるとほぼ同時に対峙して噛み合いを開始し、回転軸１０を軸方向に移動させて切り換えギヤ１１を、常時噛み合っているレジストローラ６Ｇに加えて退避ギヤ７Ｇとも噛み合わせる。
【００４６】
切り換えギヤ１１が退避ギヤ７Ｇに噛み合うと、手差しガイド部材８の回動が回転軸１０および切り換えギヤ１１を介して退避ギヤ７Ｇに伝えられると共に、図７において説明したように、手差しガイド部材８の回動に応じてこれに有する突起８０３により退避ローラ７の進退側のローラ７Ａが定置側ローラ７Ｂに向けて押圧されることでロール紙Ｓ１を挟持する。
これにより、退避ローラ７は、手差しガイド部材８の回動方向に応じてレジストローラ６の位置からロール紙先端を引き戻す動作と引き戻されたロール紙先端を再度、レジストローラ６に向けて繰り出す動作とが行われる。
【００４７】
図９は、ロール紙の先端が引き戻される際の状態を示す図であり、図９（Ａ）に示す状態（手差しガイド部材８が閉じられている状態）から図９（Ｂ）に示す状態（手差しガイド部材８が二点鎖線で示す閉じられた位置から開放された状態）に移行すると、符号Ｌと符号Ｌ’とを加えた量だけロール紙先端が引き戻されるようになっている。
【００４８】
図１０は、手差しガイド部材８が全閉位置から全開位置に向けて移動する場合および全開位置から全閉位置に向けて回動する場合での各ギヤの回転方向を矢印で示した図であり、同図において、手差しガイド部材８のカム８０２により押し動かされてセクタ部材８０１に有するラック８０１Ａと伝達ギヤ１２とが噛み合うと、回転軸１０の軸方向移動により切り換えギヤ１１が手差しガイド部材８の回転を、繰り出しギヤ６Ｇおよび退避ギヤ７Ｇにそれぞれ伝達することができる。このときの回転方向は、図９（Ｂ）に示したように、ロール紙先端を繰り出し位置であるレジストローラ６Ｇの挟持位置から、（Ｌ＋Ｌ’）の量を以て引き戻す方向である。
【００４９】
一方、手差しガイド部材８が開放位置から全閉位置に達すると、図１１に示すように、伝達ギヤ１２がセクタ部材８０１のカム８０２のカムプロフィールに従いラック８０１Ａとの噛み合いを解除される。
回転軸１０は付勢部材１３の付勢により軸中央側に移動することで、切り換えギヤ１１と退避ギヤ７Ｇとの噛み合いが解除される。
これにより、切り換えギヤ１１は、繰り出しギヤ６Ｇのみの噛み合いとなると共に、回転軸１０の移動により従動ギヤ１４が駆動ギヤ９Ｇに噛み合う。この結果、駆動モータ９の回転が駆動ギヤ９Ｇと従動ギヤ１４との噛み合いを介して回転軸１０に伝えられ、切り換えギヤ１１を介して繰り出しギヤ６Ｇに伝達されることになる。このときの回転方向はロール紙先端を繰り出し位置に向け移動させる方向となっている。
【００５０】
以上のような構成においては、手差しガイド部材８の開閉動作のみによって、手差し給紙を選択した場合にロール紙給紙部から繰り出されたロール紙が手差し給紙のための搬送路内に止まるようなことをなくすことができる。
特に手差給紙が終了した後、手差しガイド部材８を閉じるだけで、それまで引き戻されていたロール紙を繰り出し位置に対して自動的に移動させることができる。これにより、特別な駆動源を要することもなくしかもオペレータに対しても給紙経路の切り換え選択の度に記録紙の引き抜きやセットの繰り返しを強いるようなことがない。
【００５１】
次に上記実施例の要部変形例について説明する。なお、それ以外の構成は変更がないため説明を省略する（以下同じ）。
図１２は、退避部材の変形例を示す図であり、同図に示す構成は、図７に示した構成原理を利用したものであり、退避ローラ７に替えて回転軸１０に設けた連動ギヤ２０に噛み合うセクタギヤ２１を回転中心に有するセクタ部材２２，２３を用いる。
セクタ部材２２は、図７の場合と同様に、回転中心に対して偏心した回転軌跡が得られる外周縁を備えており、外周縁表面には摩擦部材が装備されている。
図１２に示す構成では、ロール紙挟持搬送部材７Ｂ側もセクタ部材２３で構成され、セクタ部材２２が揺動した際の外周縁に当接することで連動できるようになっている。また、セクタ部材２２，２３は、手差しガイド部材８が閉じているときは実線の位置で搬送路から退避しており、手差しガイド部材８が閉じると搬送路内に突出しながら二点鎖線の位置へ変位する。この構成により、セクタ部材２２とセクタ部材２３との間にあるロール紙Ｓ１は、セクタ部材２２とセクタ部材２３とが揺動することで挟持され、引き戻すことができる。
【００５２】
また、繰り出しローラ６は、図３に示したように、プラテン板１２が位置する印字記録部手前側に設けられていることに限らず、例えば、図１３に示すように、搭載部１Ａに設けられた回転駆動ローラ３０を対象とすることもできる。
つまり、搭載部１Ａには、ロール紙Ｓ１の両外側に装着したフランジ部Ｓ１Ａを挿嵌できる凹状部１Ａ１が設けられており、凹状部１Ａ１には、ロール紙Ｓ２の重量を利用した摩擦接触によってロール紙Ｓ１を回転させる回転駆動ローラ３０が設けられている。回転駆動ローラ３０は、ロール紙Ｓ１の軸方向両端に装填されるフランジ部Ｓ１Ａの外周面に当接して回転することでロール紙Ｓ２を回転させて繰り出すことができる。この場合にも、動力伝達手段の最終段位置に繰り出しローラ６に代えて回転駆動ローラ３０を位置づけることで回転駆動ローラ３０に対する回転伝達切り換えが行われる。これにより、手差しガイド部材８を閉じることで、用紙を繰り出す方向と逆方向に回転駆動ローラ３０を回転させることができるので、ロール紙Ｓ１を引き戻すことができる。なお、この場合の引き戻しによるロール紙の弛みは、前述したように、スプールに捲装されているバネの力を用いて牽引することで解消できる。
【００５３】
ロール紙給紙部と手差し給紙部とを用いて画像形成部に対する搬送状態、つまり、ロール紙先端を繰り出し位置から引き戻して手差し給紙を行う一方、手差し給紙が終了するとロール紙給紙部からの記録紙先端を繰り出し位置に再セットする構成は、インクジェットプリンタに限らず、例えば、図１４に示すような電子写真方式の画像形成部を対象とする場合に適用することもできる。
【００５４】
図１４は、潜像担持体に形成されたトナー像を記録紙、つまり、ロール紙あるいはカット紙に転写する画像形成部を備えた電子写真方式を用いる画像形成装置の模式図である。
同図において、電子写真方式を用いる画像形成装置１００は、潜像担持体として用いられる感光体ドラム１０１とこれに対峙して記録紙を挟持搬送しながら画像転写を行う転写装置１０２とを備えた画像形成部が設けられており、画像形成部に対してロール紙給紙部からの搬送路Ｐ１と手差し給紙部からの搬送路Ｐ２とがレジストタイミングを設定するレジストローラ１０３の近傍で合流している。
【００５５】
ロール紙給紙部からの搬送路Ｐ１には、レジストローラ１０３とは別に、ロール紙Ｓ１の繰り出し部材に相当する給紙ローラ１０４が配置されている。
手差し給紙部からの搬送路Ｐ２は、前述した場合と同様に、開閉可能な構成の手差しガイド部材８が用いられている。
【００５６】
また、この構成においては、前述したインクジェットプリンタの場合と違って、ロール紙Ｓ１を所定長さに裁断するカッター１０５がレジストローラ１０３の手前に配置されている。このため、給紙ローラ１０４により繰り出されるロール紙Ｓ１は、搬送過程においてカッター１０５による裁断が行われると、裁断位置から先端側までの長さを有するロール紙が感光体ドラム１０１に対する転写位置に搬送され、転写後、定着装置１０６により定着される。
【００５７】
ロール紙の繰り出しを行う構成としては、図１４に示した場合と同様な搭載部（便宜上、図１３に用いた符号１Ａで示す）に設けられた繰り出しローラ３０が用いられている。
この構成において手差しガイド部材８の開閉動作に連動して動力伝達手段および動力切り換え手段を作動させることで、給送ローラ１０４および繰り出しローラ３０によるロール紙先端の引き戻しおよび再繰り出しを行わせるようにしても良い。
なお、繰り出しローラ３０を用いずに、給紙ローラ１０４によりロール紙先端の引き戻しおよび再繰り出しを行わせるようにしてもよい。
【符号の説明】
【００５８】
１  インクジェットプリンタ
６  繰り出しローラ
６Ｇ  繰り出しギヤ
７  退避ローラ
８  手差しガイド部材
９  駆動モータ
９Ｇ  駆動ギヤ
１０  回転軸
１１  切り換えギヤ
１２  伝達ギヤ
８０１、８０３  セクタ部材
８０１Ａ  ラック
８０２  カム
Ｐ  給紙部
Ｐ１  ロール紙搬送路
Ｐ２  手差し搬送路
【先行技術文献】
【特許文献】
【００５９】
【特許文献１】特開平０３−１６６１５９号公報
【特許文献２】特許第４１６９２７５号公報
【特許文献３】特許第３４９８６２６号公報
【図１】
0005526896.tif 000002
【図２】
0005526896.tif 000003
【図３】
0005526896.tif 000004
【図４】
0005526896.tif 000005
【図５】
0005526896.tif 000006
【図６】
0005526896.tif 000007
【図７】
0005526896.tif 000008
【図８】
0005526896.tif 000009
【図９】
0005526896.tif 000010
【図１０】
0005526896.tif 000011
【図１１】
0005526896.tif 000012
【図１２】
0005526896.tif 000013
【図１３】
0005526896.tif 000014
【図１４】
0005526896.tif 000015